(57)【要約】【課題】  製品の梱包・輸送時に邪魔にならない連結部材の採用によって、低コストでの梱包・輸送が可能な分別用連結ごみ箱を提供することを目的とする。【解決手段】  上方が開放された適宜形状のボックス状の複数のごみ箱１０（またはごみ箱を収納した枠体１７）を併置して連結可能な分別用連結ごみ箱において、前記ごみ箱１０（またはごみ箱を収納した枠体１７）の側面等の連結面に雌雄の横連結部材１３、１４を着脱自在に装着したことにより、製品としてのごみ箱１０（またはごみ箱を収納した枠体１７）の梱包・輸送時には、雌雄の横連結部材１３、１４を取り外してごみ箱１０内等に収納することができるので、梱包が嵩ばらず、段ボール等を使用することなく、ビニール梱包等が可能となり、梱包・輸送が安価となる。【選択図】  図１
2006248621.tif 000002
【特許請求の範囲】
【請求項１】
上方が開放された適宜形状のボックス状の複数のごみ箱またはごみ箱を収納した枠体を併置して連結可能な分別用連結ごみ箱において、前記ごみ箱またはごみ箱を収納した枠体の側面等の連結面に雌雄の横連結部材を着脱自在に装着したことを特徴とする分別用連結ごみ箱。
【請求項２】
前記ごみ箱またはごみ箱を収納した枠体の上部に投入枠体を介在させて複数個のごみ箱またはごみ箱を収納した枠体を積み重ねるように構成したことを特徴とする請求項１に記載の分別用連結ごみ箱。
【請求項３】
前記ごみ箱またはごみ箱を収納した枠体と投入枠体との間に、雌雄の縦連結部が形成されるとともに、これらの縦連結部がごみ箱またはごみ箱を収納した枠体の全周に渡って形成されるとともに、該連結部にポリ袋保持枠体を挿入可能に構成したことを特徴とする請求項１または２に記載の分別用連結ごみ箱。
【請求項４】
前記雌雄の横連結部材が、ごみ箱またはごみ箱を収納した枠体の高さの半分以上の面接触により連結するように構成されたことを特徴とする請求項１から３のいずれかに記載の分別用連結ごみ箱。
【請求項５】
前記雌雄の横連結部材の装着面に、ごみ箱またはごみ箱を収納した枠体の傾斜角に適合する傾斜調整具を設置したことを特徴とする請求項１から４のいずれかに記載の分別用連結ごみ箱。
【請求項６】
前記投入枠体のごみ投入口に扉を設置したことを特徴とする請求項１から５のいずれかに記載の分別用連結ごみ箱。
【請求項７】
前記ごみ箱またはごみ箱を収納した枠体の雌雄の横連結部材と同一規格の横連結部材を設けた連結枠を既設の構造物に固定するとともに、該連結枠の横連結部材にごみ箱またはごみ箱を収納した枠体の横連結部材を連結することにより、積層されたごみ箱またはごみ箱を収納した枠体を既設の構造物に連結することを特徴とする請求項１から６のいずれかに記載の分別用連結ごみ箱。
【請求項８】
前記ごみ箱またはごみ箱を収納した枠体の形状が、平面視で方形、円形、楕円形、多角形、扇形のいずれかから構成されたことを特徴とする請求項１から７のいずれかに記載の分別用連結ごみ箱。
【発明の詳細な説明】
【技術分野】
【０００１】
本発明は、上方が開放された適宜形状のボックス状の複数のごみ箱またはごみ箱を収納した枠体を併置して連結可能な分別用連結ごみ箱に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があり、頭を悩ませているところである。そこで、比較的小さなごみ箱を積み重ねてごみの分別を可能にしたものが提案された（例えば下記特許文献１参照）。また、ごみ箱の上部にごみ投入用のカバーを設置したものも提案されている（例えば下記特許文献２参照）。
【特許文献１】特開２００３−３４４０４号公報（請求項２および図４参照）
【特許文献２】特開平１０−１２９８０３号公報（請求項１および図１参照）
【発明の開示】
【発明が解決しようとする課題】
【０００３】
前記特許文献１に開示されたごみ箱は、図９に示すように、上下方向に複数のごみ容器１２５ａ、１２５ｂを、はめこみ用周段部１３０と被はめこみ用周段部１３１との嵌合により、着脱自在に重ねてごみ箱１２１を構成し、最上段のごみ容器１２５ａの側面上部に把手１２３を突設し、最下段のごみ容器１２５ｂの下面部にキャスター１２２を設けてなるもので、下段のごみ容器１２５ｂの側面開口部１２８には内容器が引出し自在に収容される。
【０００４】
このような積重ね式の分別ごみ箱により、ある程度の種類のごみの分別が可能となったものの、今後予想されるさらに多種類のごみの分別に対応するには、多段にごみ容器を積み重ねる必要があって、転倒の危険性が高まり実用的ではない。しかも、ごみ容器を積み重ねた場合に、ごみの投入のためには、上段のもののように蓋１２７を開閉自在に設けるか、下段のもののように側面開口部１２８を開口する必要があった。そのため、ごみ箱の構造が複雑になったり、開口により強度不足に陥りがちであった。
【０００５】
また、前記特許文献２に開示されたごみ箱は、図１０に示すように、上部が開口のごみ箱本体４１と、このごみ箱本体４１の上部に着脱可能に取り付けられるカバー取付け枠４３と、該カバー取付け枠４３のほぼ中央に下方から着脱できる一対の軸受部４６と、該軸受部４６に着脱可能な軸４９と、該軸４９がほぼ中央に形成された回転可能なカバー４７とから構成されたもので、ごみ投入用のカバーをごみ箱本体４１と分離可能に構成したことによって、ごみ箱本体４１自体の構造を簡素化することができるとともに、カバー４７の取っ手５０を持って強く下方へ押すことで、カバー４７の軸４９が軸受部４６から外れるので、カバー４７を用いて、一杯になったごみ箱内のごみを下方へ圧縮して、さらに多くのごみを収納することができる。
【０００６】
しかしながら、投入のためのカバー取付け枠４３がごみ箱と分離構成されているものの、この従来例のものでは、ごみ箱の積み重ねを前提として開発されたものではなく、分別のために多種類のごみに対応できるように、狭いスペースでのごみ箱の積み重ねは到底不可能であった。そこで、本件発明者は複数の枠体ユニットを各ユニットの左右側面、上下面あるいは後面に設けた連結部材により連結構成した連結自在・着脱式分別用ごみ箱を提案した（特願２００４−２５１１３）。この連結自在・着脱式分別用ごみ箱の提案により、ごみの投入・廃棄および清掃も容易で、なおかつ今後予想される多種類のごみの分別に対応することが可能になったものの、前記各ユニットの側面や後面に設けられる連結部材が製品の梱包・輸送時に邪魔になって、梱包・輸送に要する経費が嵩む虞れが生じた。
【０００７】
そこで本発明では、前記本件出願人の提案になる連結自在・着脱式分別用ごみ箱をさらに改良して、製品の梱包・輸送時に邪魔にならない連結部材の採用によって、低コストでの梱包・輸送が可能な分別用連結ごみ箱を提供することを目的とする。
【課題を解決するための手段】
【０００８】
そのため本発明は、上方が開放された適宜形状のボックス状の複数のごみ箱またはごみ箱を収納した枠体を併置して連結可能な分別用連結ごみ箱において、前記ごみ箱またはごみ箱を収納した枠体の側面等の連結面に雌雄の横連結部材を着脱自在に装着したことを特徴とする。また本発明は、前記ごみ箱またはごみ箱を収納した枠体の上部に投入枠体を介在させて複数個のごみ箱またはごみ箱を収納した枠体を積み重ねるように構成したことを特徴とする。また本発明は、前記ごみ箱またはごみ箱を収納した枠体と投入枠体との間に、雌雄の縦連結部が形成されるとともに、これらの縦連結部がごみ箱またはごみ箱を収納した枠体の全周に渡って形成されるとともに、該連結部にポリ袋保持枠体を挿入可能に構成したことを特徴とする。また本発明は、前記雌雄の横連結部材が、ごみ箱またはごみ箱を収納した枠体の高さの半分以上の面接触により連結するように構成されたことを特徴とする。また本発明は、前記雌雄の横連結部材の装着面に、ごみ箱またはごみ箱を収納した枠体の傾斜角に適合する傾斜調整具を設置したことを特徴とする。また本発明は、前記投入枠体のごみ投入口に扉を設置したことを特徴とする。また本発明は、前記ごみ箱またはごみ箱を収納した枠体の雌雄の横連結部材と同一規格の横連結部材を設けた連結枠を既設の構造物に固定するとともに、該連結枠の横連結部材にごみ箱またはごみ箱を収納した枠体の横連結部材を連結することにより、積層されたごみ箱またはごみ箱を収納した枠体を既設の構造物に連結することを特徴とする。また本発明は、前記ごみ箱またはごみ箱を収納した枠体の形状が、平面視で方形、円形、楕円形、多角形、扇形のいずれかから構成されたことを特徴とするもので、これらを課題解決のための手段とするものである。
【発明の効果】
【０００９】
本発明では、上方が開放された適宜形状のボックス状の複数のごみ箱またはごみ箱を収納した枠体を併置して連結可能な分別用連結ごみ箱において、前記ごみ箱またはごみ箱を収納した枠体の側面等の連結面に雌雄の横連結部材を着脱自在に装着したことにより、製品としてのごみ箱またはごみ箱を収納した枠体の梱包・輸送時には、雌雄の横連結部材を取り外してごみ箱内等に収納することができるので、梱包が嵩ばらず、段ボール等を使用することなく、ビニール梱包等が可能となり、梱包・輸送が安価となる。
【００１０】
また、前記ごみ箱またはごみ箱を収納した枠体の上部に投入枠体を介在させて複数個のごみ箱またはごみ箱を収納した枠体を積み重ねるように構成した場合は、ごみの分別のために複数個準備するごみ箱またはごみ箱を収納した枠体を積層しても、ごみ箱またはごみ箱を収納した枠体自体に格別の細工をすることなく、投入枠体を利用してごみを投入することができるので、単純な構造のごみ箱またはごみ箱を収納した枠体を積層して狭いスペースにても複数のごみの分別が可能となる。
【００１１】
さらに、前記ごみ箱またはごみ箱を収納した枠体と投入枠体との間に、雌雄の縦連結部が形成されるとともに、これらの縦連結部がごみ箱またはごみ箱を収納した枠体の全周に渡って形成されるとともに、該連結部にポリ袋保持枠体を挿入可能に構成した場合は、連結部の構造が単純化され、連結部の面圧が小さくなって連結強度が高くなるとともに、積層された複数のごみ箱またはごみ箱を収納した枠体と投入枠体の転倒の虞れがない。しかも、ポリ袋の上端部をポリ袋保持枠体により保持できるので、連結部にてごみ箱またはごみ箱を収納した枠体と投入枠体との間に挟まれたポリ袋の上端部が外部に露呈することがないので、見苦しくない。
【００１２】
さらにまた、前記雌雄の横連結部材が、ごみ箱またはごみ箱を収納した枠体の高さの半分以上の面接触により連結するように構成された場合は、充分に広い面積の連結部が確保できて、横方向での連結強度を向上させるとともに、積層された縦方向の連結についても有効に助勢することができる。また、前記雌雄の横連結部材の装着面に、ごみ箱またはごみ箱を収納した枠体の傾斜角に適合する傾斜調整具を設置した場合は、ほぼ鉛直の側面を有するものから種々の傾斜角度の側面を有するものまで、他種類のごみ箱またはごみ箱を収納した枠体に、横連結部材を後付けにて装着できるので、汎用のごみ箱等を併置・積層型の分別用ごみ箱等に転用できることとなる。
【００１３】
さらに、前記投入枠体のごみ投入口に扉を設置した場合は、臭気を遮断するとともに、蠅等が侵入することもなく、衛生的である。さらにまた、前記ごみ箱またはごみ箱を収納した枠体の雌雄の横連結部材と同一規格の横連結部材を設けた連結枠を既設の構造物に固定するとともに、該連結枠の横連結部材にごみ箱またはごみ箱を収納した枠体の横連結部材を連結することにより、積層されたごみ箱またはごみ箱を収納した枠体を既設の構造物に連結する場合は、既設の構造物例えば自動販売機等と組み合わせて、その販売機能により生じた空き缶等のごみ処理に連携させることができて有効である。
【００１４】
また、前記ごみ箱またはごみ箱を収納した枠体の形状が、平面視で方形、円形、楕円形、多角形、扇形のいずれかから構成された場合は、それらの形状に応じて、ごみの多方向からの投入を可能にしたり、ごみ箱またはごみ箱を収納した枠体の併設および積層体が既設柱を取り囲むことを可能にする等の種々の機能が発揮される。
【発明を実施するための最良の形態】
【００１５】
以下、本発明の実施例を図面に基づいて詳細に説明する。図１は本発明の分別用連結ごみ箱の第１実施例を示すもので、図１（Ａ）は連結および積層状態を示す全体斜視図、図１（Ｂ）は投入枠体の変形例の斜視図、図１（Ｃ）はごみ箱の雌縦連結部の変形例の拡大断面図、図１（Ｄ）は横連結部材における装着部の拡大断面図、図２は本発明の分別用連結ごみ箱の第２実施例を示す分解斜視図、図３は同、分別用連結ごみ箱の梱包時の断面図、図４は同、連結および積層時の分別用連結ごみ箱の正面図、図５は本発明の分別用連結ごみ箱の第３実施例を示すもので、図５（Ａ）は横連結部材の全体斜視図、図５（Ｂ）は調整ねじ部の拡大正面図、図５（Ｃ）は傾斜調整具の格納時の断面図、図５（Ｄ）は傾斜調整具の使用時の断面図、図６は本発明の分別用連結ごみ箱の第４実施例を示すもので、ごみ箱を収納した枠体の連結および積層状態を示す全体斜視図、図７および図８は本発明の分別ごみ箱積層構造の第５実施例を示すもので、図７は設置状態を示す正面図、図８は設置前の分離正面図である。
【実施例１】
【００１６】
本発明の基本的な構成は、図１の第１実施例に示すように、上方が開放された適宜形状のボックス状の複数のごみ箱１０を併置して連結可能な分別用連結ごみ箱において、前記ごみ箱１０の側面等（後面も）の連結面に雌雄の横連結部材１４、１３を着脱自在に装着したことを特徴とする。平面視で方形の断面形状を有する箱状のごみ箱１０は上方が開放された開口を有する。ごみ箱１０の底面には、ごみ箱１０の側壁の板厚に相当する分だけ内側に寄って突起が形成されている。この突起がごみ箱１０を積層する際の雄の縦連結部１１を構成する。したがって、前記ごみ箱１０の上部開口が雌の縦連結部１２を構成する。
【００１７】
図１（Ａ）に示すように、最下段に位置するごみ箱１０の上部に積層される投入枠体２０は、ごみ箱１０と同様の方形形状をしており、四方がごみ投入口２３として開口される。つまり、箱状体の稜線部分を残して枠体が構成される。（四方を板体にて囲み、これらの板体にごみ投入口を穿設してもよい。）投入枠体２０の下部には、ごみ箱１０の上部の雌縦連結部１２と整合する雄縦連結部２１が形成され、その上部には、上方に積層されるごみ箱１０の底部の雄縦連結部１１が挿入される雌縦連結部２２（開口）が形成される。  
【００１８】
投入枠体２０の上部は、雌縦連結部２２が形成されていれば、天井部分が開放されていてもよいし、天井２７部分が形成されて閉じられた構造（図１（Ｂ）参照）とされてもよい。ごみ箱１０および投入枠体２０は、適宜の材質にて構成され、アルミ等の軽金属、プラスチック等からの一体成形およびこれら材質からの組立構造等適宜の材質と構造が採用され得る。また、投入枠体２０は、図１（Ｂ）の変形例に示すように、各ごみ投入口２３に扉２４が設置されてもよい。このような構成により、投入廃棄されたごみの臭気を遮断するとともに、蠅等が侵入することもなく、衛生的である。
【００１９】
ごみ箱１０の側面（図示の例では両側面、場合によっては後面にも）には、ごみ箱１０の高さの半分以上の高さを有する雌横連結部材１４、および雄横連結部材１３が着脱自在に装着される。これらの雌雄の横連結部材１３、１４は、それらの装着面に形成された突起部１３Ａ、１４Ａによって、ごみ箱１０の側面に装着される。図１（Ｄ）に拡大して示すように、ごみ箱１０の側面の裏面に形成された薄肉部１０Ａをドライバー等の工具により突き破ることで得られた孔に、前記雌雄の横連結部材１３、１４における突起部１３Ａ、１４Ａを圧入することで、後付けにて横連結部材１３、１４をごみ箱１０に設置することができる。
【００２０】
これらの雌雄の横連結部材１３、１４には、互いに上下方向にスライドして嵌合する蟻溝状の連結部が形成され、平面視凹および凸形状を呈している。図示の例では、ごみ箱１０の両側に一個ずつの雌横連結部材１３、１４が配設されるが、複数個ずつ配設されてもよい。これらの各横連結部材について、雌横連結部材１４に対して雄横連結部材１３を上方から差し込む形態にて挿入するに際して、前記蟻溝状の連結部が、側面視で互いに係合する逆傾斜の楔状の傾斜面に形成して、互いに連結される隣接ごみ箱間のガタを吸収させるような構成とすることもできる。これら雌雄の横連結部材１３、１４の形状、形式についても適宜のものが採用され得る。
【００２１】
下位のごみ箱１０の上部の雌縦連結部１２に、投入枠体２０の下部の雄縦連結部２１が整合して挿入されるが、その際、ポリ袋が介在されるとよい。これらの雌雄の縦連結部については、図示の例のように、ごみ箱１０の上部あるいは投入枠体２０の上部がストレートに形成されて雌縦連結部を構成してもよいが、各部材上部のストレート部に雄縦連結部を受け入れるように雌縦連結部を刻設形成あるいは曲折形成するようにしてもよい。また、図１（Ｃ）に示すように、ポリ袋１８の上縁がごみ箱１０の外部に露呈して見苦しい場合には、投入枠体２０の下部の雄縦連結部２１との整合性を保持（連結を可能）にしたままで、雌縦連結部１２に段差を設けて、該段差部にポリ袋上縁保持用の枠体１９を挿入するように構成することもできる。該ポリ袋保持用の枠体１９は、ゴミ袋１０あるいはごみ袋を収納する枠体の外周側に段差を設けて、該段差に枠体１９を挿入するようにしてもよい。
【００２２】
かくして、分別のためにごみ箱１０を複数個準備して積層しても、投入枠体２０を利用してごみを投入することができるので、投入口等を設けることのない単純な構造のごみ箱１０を使用することができる。また、横連結部材１３、１４がごみ箱１０の高さの半分以上の面接触により連結するように構成されていることで、連結部の構造が単純化され、連結部の面圧が小さくなって連結強度が高くなるとともに、積層された複数のごみ箱と投入枠体の転倒の虞れがなく、充分に広い面積の連結部が確保できて、横方向での連結強度を向上させて、積層された縦方向の連結についても有効に助勢することができる。
【００２３】
しかも、製品としてのごみ箱１０の梱包・輸送時には、組み付ける前の横連結部材１３、１４をごみ箱内等に収納することができるので、梱包が嵩ばらず、段ボール等を使用することなく、ビニール梱包等が可能となり、梱包・輸送が安価となる他、既存の汎用のごみ箱にも横連結部材１３、１４を装着することで、分別用の連結ごみ箱として使用可能となる。
【実施例２】
【００２４】
図２は本発明の分別用連結ごみ箱の第２実施例を示す分解斜視図である。本実施例のものは、ごみ箱１０として逆円錐形のごみ箱に適用された例である。したがって、ごみ箱１０は、底部に対してごみ投入口を構成する上部開口部が大径に形成されている。ごみ箱１０、１０同士を上下に積層するには、植木鉢を伏せた形態の投入枠体２０を介設してなされる。投入枠体２０の上面には有底状（天井２７が設置）の小雌縦連結部２２Ａが形成されて上部のごみ箱１０の底部が嵌合される。投入枠体２０の下面には大雌連結部２２Ｂが形成されて下部のごみ箱１０の上部開口部が嵌合される。側面に形成されたごみ投入口２３からごみが投入される。
【００２５】
ごみ箱１０を併置して横に連結するには、前記図１（Ｄ）に示したように、ごみ箱１０の側面に形成された薄肉部１０Ａを突き破って穿設された孔を使用して、雌雄の横連結部材１３、１４に形成された突起部１３Ａ、１４Ａ（図示省略）を挿入して装着する。これら雌雄の横連結部材１３、１４におけるごみ箱１０への装着面は、逆円錐形のごみ箱１０の側面の傾斜および曲率に適合する曲面１３Ｂ、１４Ｂに形成されている。
【００２６】
このように構成されているので、単純な構成の逆円錐形のごみ箱１０であっても、植木鉢を伏せた形態の特有の投入枠体２０を使用して、ごみ箱１０、１０を上下に積層することが可能になる上に、特有の形状の雌雄の横連結部材１３、１４を後付けにて使用して、本来不安定な逆円錐形の複数のごみ箱１０を安定させて設置することが可能になるとともに、積層された縦方向の連結についても有効に助勢することができる。この状態を示したものが図４である。４個の逆円錐形のごみ箱１０を２つの投入枠体２０を介設して積層しし、ごみ箱１０の側面に装着された８個の雌雄の横連結部材１３、１４を使用して併置・連結した状態である。このようにして積層された状態でも、下部に位置するごみ箱１０へのごみの投入は、投入枠体２０におけるごみ投入口２３により容易に行える。
【００２７】
図３は本発明の分別用連結ごみ箱の梱包時の断面図である。もし、併置・連結のための雌雄の横連結部材１３、１４がごみ箱１０の側面に固着等により一体構成とされた製品であれば、それぞれを梱包して輸送しなければならないが、本発明によれば、逆円錐形のごみ箱の利点を活かして、組付け前の雌雄の横連結部材１３、１４をごみ箱１０に収納した上（図示省略）で、図示のように複数のごみ箱１０を順次上下に嵌挿したものに、投入枠体２０を逆さにして収容することで、きわめてコンパクトに梱包して低コストで輸送に供することが可能とある。
【実施例３】
【００２８】
図５は本発明の分別用連結ごみ箱の第３実施例を示すものである。本実施例のものは、横連結部材を種々の形状のごみ箱に対応できるようにしたものである。図５（Ａ）の全体斜視図に示すものは、雌横連結部材１４の例である。したがって背面に雄横連結部材１３の突条を受け入れる蟻溝が形成されている。雌横連結部材１４におけるごみ箱への装着面側に調整具収容溝１４Ｃが形成され、該調整具収容溝１４Ｃに傾斜調整具２８がヒンジ２９により揺動・進退自在に軸支される。傾斜調整具２８の前面には曲面２８Ａが形成されている。
【００２９】
傾斜調整具２８の側面にはピン３２が固定され、該ピン３２は雌横連結部材１４の側面に形成された長孔３６から外側まで延設される。図５（Ｂ）に示すように、ピン３２に嵌合された連結具３５に調整ねじ３４の径大端部が遊嵌して連結される。調整ねじ３４は雌横連結部材１４の側面に起立設置された支持部材３３に螺合される。雌横連結部材１４の両側面の上下には、一対の雌雄の係止具が先端に取り付けられたベルト部材３０、３１が取り付けられる。図示省略の雄横連結部材１３も同様に構成され、これらの雌雄の横連結部材１３、１４をごみ箱１０の両側に対向して配置した上で、両ベルト部材３０、３１の雌雄の係止具を係着させて設置するものである。
【００３０】
このように構成したので、雌雄の横連結部材１３、１４をごみ箱１０の両側に設置し、調整ねじ３４を回動調整すると、図５（Ｃ）の格納後退状態から図５（Ｄ）の使用進出状態の間で、無段階で傾斜調整具２８の傾斜角度を調整することができる。これにより、ほぼ鉛直の側面を有するものから種々の傾斜角度の側面を有するものまで、他種類のごみ箱またはごみ箱を収納した枠体に、傷付けることなく横連結部材を後付けにて装着できるので、汎用のごみ箱等を併置・積層型の分別用ごみ箱等に転用できる。
【実施例４】
【００３１】
図６は本発明の分別用連結ごみ箱の第４実施例を示すもので、ごみ箱を収納した枠体の連結および積層状態を示す全体斜視図である。本実施例のものは、ごみ箱に代えて、ごみ箱１０を収納した枠体１７の積層状態を示す全体斜視図である。図に示すように、本実施例では、上述したごみ箱１０に代えて、ごみ箱１０を収納した枠体１７を投入枠体２０を介在させて積層するよう構成したもので、枠体１７における雌雄の縦連結部や横連結部材については、上述のごみ箱１０に形成した各実施例のものと同様であるので説明を省略する。本実施例では、枠体１７の前面からごみ箱１０を引き出し自在に収納したもので、あたかも、前記図２にて説明したポリ袋１８に代えて、ごみ箱１０を収納した形態が採用された。
【００３２】
これにより、枠体１７を投入枠体２０を介在させて積層したままでも、枠体１７からごみ箱１０のみを取り出して、ごみを廃棄したりごみ箱１０を掃除したりできる。取り廻しがやや面倒になるものの、図１（Ｃ）にて説明したようなポリ袋１８を使用することもできる。また、前述の各実施例におけるごみ箱１０に代えて、すべてごみ箱１０を収納した枠体１７に代えることができることは言うまでもない。枠体１７の両側面には雌雄の横連結部材１３、１４が着脱自在に装着される。雌雄の横連結部材１３、１４は枠体１７の幅一杯の構成とされ、高い強度で枠体１７に装着される。それぞれの横連結部材１３、１４の両側端縁に連結部が曲折形成されており、これらの雌雄の連結部が互いに係合する。
【実施例５】
【００３３】
図７および図８は本発明の分別用連結ごみ箱の第５実施例を示すもので、図７は設置状態を示す正面図、図８は設置前の分離正面図である。本実施例の雌雄の横連結部材１３、１４もごみ箱１０および後述する連結枠２５に対して着脱自在に装着されるものであることは言うまでもない。図８に示すように、ごみ箱１０の雌雄の横連結部材１３、１４と同一規格の横連結部材１３（あるいは１４）を設けた連結枠２５を既設の構造物、例えば自動販売機３８に接着層２６（他に、吸盤、磁石、ボルト等でもよい。）等により固定するとともに、該連結枠２５の横連結部材１３にごみ箱１０の横連結部材１４を連結することにより、投入枠体２０を介在させて積層されたごみ箱１０、１０を既設の構造物３８に連結するように構成したものである。図７はこのようにして設置された分別ごみ箱積層構造の正面図を示す。かくして、既設の構造物である自動販売機３８等と組み合わせて、例えばその販売機能により生じた空き缶等のごみ処理に連携できて有効である。
【００３４】
また、図示しての詳述はしないが、前記ごみ箱またはごみ箱を収納した枠体の形状が、平面視で方形、円形、楕円形、多角形、扇形のいずれかから構成された場合は、それらの形状に応じて、ごみの多方向からの投入を可能にしたり、ごみ箱またはごみ箱を収納した枠体の併設および積層体が既設柱を取り囲むことを可能にする等の種々の機能が発揮される。
【００３５】
以上、本発明の実施例について説明してきたが、本発明の趣旨の範囲内にて、雌雄の横連結部材の形状（雌雄の連結部の形状、例えば、蟻溝と対応する突条とのスライド係合、だるま孔と頭部付きピンとのスライド係止、磁石による連結、ピンと孔との圧入等、その上下長さについても、ごみ箱の高さの半分以上が好適であるが、面接触による適正な連結強度が確保できれば、半分程度でもよい。）、形式およびその着脱形態（ピンの圧入、蟻溝と対応する突条とのスライド係合、だるま孔と頭部付きピンとのスライド係止、雌雄ベルト部材による締結等）ならびに数（横連結部材の数および横連結部材における連結部の数）、傾斜調整具の形状（前面の曲面に代えて、コ字形状にしてもよい）、形式およびその横連結部材への設置形態ならびに材質（高摩擦係数のゴム等を表面に貼設してもよい）、平面視の断面形状を含むごみ箱またはごみ箱を収納した枠体の形状（ごみ箱またはごみ箱を収納した枠体には分別されるごみの種類を表示できる表示部が適宜の形態で設置し得る。ごみ箱の後面に固着部を設けて既設構造物に固定してごみ箱積層体の転倒を防止するように構成してもよい。）、形式およびその材質（鋼板、アルミ等の金属、プラスチック、木材、強化紙材、ステンレス網状体等）等については適宜選定できる。
【００３６】
また、投入枠体の形状（平面視形状はごみ箱と同様。また、ごみ投入口については、稜線部分を残した箱状体の他、無底箱状体の側面に適宜形状のごみ投入口を穿設してもよい。逆円錐形のごみ箱またはごみ箱を収納した枠体と組み合わせる場合は、伏せた植木鉢のような形状として、上下いずれの面も雌縦連結部としてもよいし、いずれかを必要に応じて雄縦連結部としてもよい。）、形式およびその材質（ごみ箱と同様）、雌雄の縦連結部の形状（ストレート状の箱面とやや小径の雄縦連結部の組合せ、ストレート状の箱面とやや大径の雌縦連結部の組合せ、雌雄のいずれが上部でもよい。場合によっては、ストレートの箱状体のごみ箱と投入枠体の上下にやや大径の縦連結部を形成して組み合わせてもよい。その場合は、投入枠体の上部に形成した天井部が上位のごみ箱のストッパとして機能する。平面視形状はごみ箱やごみ箱が収納される枠体の平面視形状、例えば、方形、円形の他、楕円形、多角形、扇形等が採用され得る）、形式等については適宜選定できる。
【図面の簡単な説明】
【００３７】
【図１】本発明の分別用連結ごみ箱の第１実施例を示すもので、図１（Ａ）は連結および積層状態を示す全体斜視図、図１（Ｂ）は投入枠体の変形例の斜視図、図１（Ｃ）はごみ箱の雌縦連結部の変形例の拡大断面図、図１（Ｄ）は横連結部材における装着部の拡大断面図である。
【図２】本発明の分別用連結ごみ箱の第２実施例を示す分解斜視図である。
【図３】同、分別用連結ごみ箱の梱包時の断面図である。
【図４】同、連結および積層時の分別用連結ごみ箱の正面図である。
【図５】本発明の分別用連結ごみ箱の第３実施例を示すもので、図５（Ａ）は横連結部材の全体斜視図、図５（Ｂ）は調整ねじ部の拡大正面図、図５（Ｃ）は傾斜調整具の格納時の断面図、図５（Ｄ）は傾斜調整具の使用時の断面図である。
【図６】本発明の分別用連結ごみ箱の第４実施例を示すもので、ごみ箱を収納した枠体の連結および積層状態を示す全体斜視図、
【図７】本発明の分別用連結ごみ箱の第５実施例を示すもので、設置状態を示す正面図である。
【図８】同、設置前の分離正面図である。
【図９】第１従来例のごみ箱の全体斜視図である。
【図１０】第２従来例のカバー付きごみ箱の全体側断面図である。
【符号の説明】
【００３８】
１０      ごみ箱
１０Ａ      薄肉部
１１      雄縦連結部
１２      雌縦連結部
１３      雄横連結部材
１３Ａ      突起部
１３Ｂ      曲面部
１４      雌横連結部材
１４Ａ      突起部
１４Ｂ      曲面部
１４Ｃ      調整具収納溝
１７      ごみ箱を収納した枠体
１８      ポリ袋
１９      ポリ袋保持枠体
２０      投入枠体
２１      雄縦連結部
２２      雌縦連結部
２２Ａ      小雌縦連結部
２２Ｂ      大雌縦連結部
２３      ごみ投入口
２４      扉  
２７      天井
２８      傾斜調整具
２９      ヒンジ
３０      雄ベルト部材
３１      雌ベルト部材
３２      ピン
３３      支持部材
３４      調整ねじ
３５      連結具
３６      長孔
３８      自動販売機
【図１】
2006248621.tif 000003
【図２】
2006248621.tif 000004
【図３】
2006248621.tif 000005
【図４】
2006248621.tif 000006
【図５】
2006248621.tif 000007
【図６】
2006248621.tif 000008
【図７】
2006248621.tif 000009
【図８】
2006248621.tif 000010
【図９】
2006248621.tif 000011
【図１０】
2006248621.tif 000012